(57)【要約】【課題】長期にわたって所定の作動力を維持できると共に、作動力が大きく、且つ、円滑な動作を行うことができる電気部品を提供する。【解決手段】本発明の電気部品は、非可動状態の固定部材１と、この固定部材１に対して対向した状態で移動可能な可動部材６とを備え、固定部材１と可動部材６の互いに対向する対向面１ｇ、６ｅは、所定の隙間を持って配置され、固定部材１と可動部材６の少なくとも一方の対向面には、可動部材６の移動方向に延びる凹状の第１のグリス溜部６ｇと、可動部材６の移動方向に対して直交する方向に延び、第１のグリス溜部６ｇと繋がった凹状の第２のグリス溜部６ｈとが設けられたため、第１，第２のグリス溜部６ｇ、６ｈにグリスを設けることができて、長期にわたって所定の作動力を維持できる電気部品を提供できる。【選択図】　　　　図５
2004119562.tif 000002
【特許請求の範囲】
【請求項１】
非可動状態の固定部材と、この固定部材に対して対向した状態で移動可能な可動部材とを備え、前記固定部材と前記可動部材の互いに対向する対向面は、所定の隙間を持って配置され、前記固定部材と前記可動部材の少なくとも一方の前記対向面には、前記可動部材の移動方向に延びる凹状の第１のグリス溜部と、前記可動部材の移動方向に対して直交する方向に延び、前記第１のグリス溜部と繋がった凹状の第２のグリス溜部とが設けられたことを特徴とする電気部品。
【請求項２】
前記第１のグリス溜部、或いは／及び前記第２のグリス溜部が複数個設けられ、前記対向面は、前記第１，第２のグリス溜部によって区画されて、島状に分割された分割対向面に形成されたことを特徴とする請求項１記載の電気部品。
【請求項３】
前記第１，第２のグリス溜部が一直線状の前記凹状で形成されたことを特徴とする請求項１、又は２記載の電気部品。
【請求項４】
前記可動部材はスライド移動可能となっており、前記可動部材の前記対向面には、前記第１，第２のグリス溜部が設けられて、前記固定部材の前記対向面に対向したことを特徴とする請求項１から３の何れかに記載の電気部品。
【請求項５】
前記可動部材に設けられた前記対向面の全外周部には、前記対向面の全体を囲むように前記第１，第２のグリス溜部が設けられたことを特徴とする請求項４記載の電気部品。
【請求項６】
スライド移動可能な前記可動部材は、その一面側に摺動子が取り付けられると共に、他面側には、前記第１，第２のグリス溜部を有する前記対向面が設けられたことを特徴とする請求項４、又は５記載の電気部品。
【発明の詳細な説明】
【０００１】
【発明の属する技術分野】
本発明はゲーム機器等の電気機器に使用して好適な電気部品に関する。
【０００２】
【従来の技術】
従来の電気部品の構成について、スライド型可変抵抗器を例にして図１３に基づいて説明すると、板状の絶縁基体５１は、中央部に設けられた一直線状の凹状からなるスリット部５１ａを有し、このスリット部５１ａの両側表面には、帯状の抵抗体５２と、帯状の集電体５３とが設けられている。
【０００３】
複数個の端子５４は、抵抗体５２や集電体５３の一端と導通した状態で、絶縁基体５１に埋設されている。
合成樹脂の成型品からなる可動体５５は、操作部５５ａと、この操作部５５ａに繋がって設けられたコ字状の取付部５５ｂと、この取付部５５ｂから突出して設けられた凸部５５ｃとを有する。
【０００４】
この可動体５５は、コ字状の取付部５５ｂで絶縁基体５１を抱持して、絶縁基体５１に対してスライド移動可能に取り付けられると共に、凸部５５ｃがスリット部５１ａに嵌入した状態となっている。
そして、このスリット部５１ａ内には、グリス（図示せず）が充填されており、可動体５５のスライド移動時、凸部５５ｃがグリスに接触して、可動体５５に作動力を持たせるようにしている。
【０００５】
また、ここでは図示しないが、可動体５５には摺動子が取り付けられ、この摺動子が抵抗体５２と集電体５３にそれぞれ接触した状態となっており、可動体５５のスライド移動時、摺動子が抵抗体５２と集電体５３とに摺動して、抵抗値の調整を行うようになっている。（例えば、特許文献１参照）
【０００６】
【特許文献１】
特開平８−３７１０３号公報
【０００７】
【発明が解決しようとする課題】
従来の電気部品は、可動体５５の凸部５５ｃが絶縁基体５１のスリット部５１ａに嵌入され、一条のスリット部５１ａ内に充填されたグリスと凸部５５ｃとによって、可動体５５に作動力を持たせるようにしたため、一条のスリット部５１ａでは、グリスが凸部５５ｃによってスリット部５１ａ外に押し出されやすく、長期にわたって所定の作動力を維持するのが困難であるという問題がある。
また、小さい面積からなる凸部５５ｃで作動力を持たせているため、大きな作動力を持たせるのが困難であると共に、可動体５５の円滑な動作を行わせることができないという問題がある。
【０００８】
そこで、本発明は長期にわたって所定の作動力を維持できると共に、作動力が大きく、且つ、円滑な動作を行うことができる電気部品を提供することを目的とする。
【０００９】
【課題を解決するための手段】
上記課題を解決するための第１の解決手段として、非可動状態の固定部材と、この固定部材に対して対向した状態で移動可能な可動部材とを備え、前記固定部材と前記可動部材の互いに対向する対向面は、所定の隙間を持って配置され、前記固定部材と前記可動部材の少なくとも一方の前記対向面には、前記可動部材の移動方向に延びる凹状の第１のグリス溜部と、前記可動部材の移動方向に対して直交する方向に延び、前記第１のグリス溜部と繋がった凹状の第２のグリス溜部とが設けられた構成とした。
【００１０】
また、第２の解決手段として、前記第１のグリス溜部、或いは／及び前記第２のグリス溜部が複数個設けられ、前記対向面は、前記第１，第２のグリス溜部によって区画されて、島状に分割された分割対向面に形成された構成とした。
また、第３の解決手段として、前記第１，第２のグリス溜部が一直線状の前記凹状で形成された構成とした。
【００１１】
また、第４の解決手段として、前記可動部材はスライド移動可能となっており、前記可動部材の前記対向面には、前記第１，第２のグリス溜部が設けられて、前記固定部材の前記対向面に対向した構成とした。
また、第５の解決手段として、前記可動部材に設けられた前記対向面の全外周部には、前記対向面の全体を囲むように前記第１，第２のグリス溜部が設けられた構成とした。
【００１２】
また、第６の解決手段として、スライド移動可能な前記可動部材は、その一面側に摺動子が取り付けられると共に、他面側には、前記第１，第２のグリス溜部を有する前記対向面が設けられた構成とした。
【００１３】
【発明の実施の形態】
本発明の電気部品の図面を説明すると、図１は本発明の電気部品を示す分解斜視図、図２は本発明の電気部品の平面図、図３は本発明の電気部品の裏面図、図４は本発明の電気部品の底面図、図５は図２の５−５線における断面図、図６は図２の６−６線における断面図である。
【００１４】
また、図７は本発明の電気部品に係る固定部材の正面図、図８は本発明の電気部品に係る固定部材の側面図、図９は本発明の電気部品に係る固定部材の底面図、図１０は本発明の電気部品に係る可動部材の平面図、図１１は本発明の電気部品に係る可動部材の側面図、図１２は本発明の電気部品の他の実施例に係る可動部材の平面図である。
【００１５】
次に、本発明の電気部品の構成について、スライド型可変抵抗器に適用した場合を例にして、図１〜図１１に基づいて説明すると、カバー、ケース、或いは枠体等からなり、非可動状態に配置される固定部材１は、特に図７〜図９に示すように、下方部が開放状態となり、全体が四角箱状に形成された金属板からなり、平板状の上壁１ａと、この上壁１ａの四方から下方に延びる側壁１ｂと、側壁１ｂの下端から下方に突出する複数個の脚部１ｃと、側壁１ｂの下端から横方向に折り曲げられた折り曲げ片１ｄと、脚部１ｃと折り曲げ片１ｄに設けられた突片１ｅと、一つの側壁１ｂに設けられた切り欠き部１ｆと、上壁１ａの内面で形成される平坦面からなる対向面１ｇとを有する。
【００１６】
そして、この固定部材１は、折り曲げ片１ｅがプリント基板（図示せず）の表面に載置された状態で、脚部１ｃがプリント基板の孔に挿入され、プリント基板に脚部１ｃが半田付けされて取り付けられるようになっている。
【００１７】
フェノール樹脂等からなる絶縁基板２は、長手方向の両端部近傍に複数個の孔２ａが設けられ、この絶縁基板２の表面には、帯状に形成された抵抗パターン３と、帯状に形成された集電パターン４とが並設した状態で設けられている。
また、複数個の端子５が絶縁基板２の孔２ａにカシメられて取り付けられると共に、それぞれの端子５は、抵抗パターン３と集電パターン４の端部に導通した状態となっている。
【００１８】
そして、このような絶縁基板２は、固定部材１の下方開放部を覆うように、側壁１ｂの下端部に配置され、この状態で突片１ｅを折り曲げて、絶縁基板２が突片１ｅと側壁１ｂとの間に挟持されて取り付けられている。
この絶縁基板２が取り付けられた際、抵抗パターン３と集電パターン４は、箱形の固定部材１内に収納された状態となっている。
【００１９】
合成樹脂の成型品で形成されたスライド部材等からなる可動部材６は、特に図１０，図１１に示すように、操作部６ａと、操作部６ａに首部６ｂを介して繋がった略直方体状をなした本体部６ｃと、この本体部６ｃの一面側に設けられた突起６ｄと、本体部６ｃの他面側で形成される平面状をなした対向面６ｅと、この対向面６ｅに設けられた凹状からなる第１，第２のグリス溜部６ｇ、６ｈと、本体部６ｃの４隅に設けられ、操作部６ａの対向面６ｅと直交する方向のガタ、或いは傾きを抑える凸部６ｊと、操作部６ａの延びる方向に対して直交するように、操作部６ａに設けられた板状の覆い部６ｋを有する。
【００２０】
そして、第１のグリス溜部６ｇは、複数個の凹状が可動部材６の移動方向に延びて形成されると共に、第２のグリス溜部６ｈは、複数個の凹状が可動部材６の移動方向に対して直交する方向に延び、且つ、第１のグリス溜部６ｇと繋がった状態で形成されている。
【００２１】
このように、第１，第２のグリス溜部６ｇ、６ｈが設けられることによって、対向面６ｅは、第１，第２のグリス溜部６ｇ、６ｈによって区画されて、島状に分割された複数個の分割対向面６ｆに形成されている。
また、対向面６ｅの全外周面には、第１，第２のグリス溜部６ｇ、６ｈが設けられて、対向面６ｅの全体が第１，第２のグリス溜部６ｇ、６ｈで囲まれた状態となっている。
【００２２】
バネ性ある金属板からなる摺動子７は、孔７ａを有する板部７ｂと、この板部７ｂから折り曲げられた摺動部７ｃとを有し、この摺動子７は、孔７ａに可動部材６の突起６ｄが挿通され、突起６ｄの先端部が熱カシメする等して、可動部材６に取り付けられている。
即ち、本体部６ｃの一面側には、摺動子７が配置されると共に、本体部６ｃの他面側には、第１，第２のグリス溜部６ｇ、６ｈを有する対向面６ｅが設けられた構成となっている。
【００２３】
そして、この可動部材６の第１，第２のグリス溜部６ｇ、６ｈ内にはグリス（図示せず）が充填されると共に、この可動部材６は、本体部６ｃが固定部材１内に位置し、且つ、首部６ｂが切り欠き部１ｆに位置した状態で、操作部６ａが固定部材１から突出して、固定部材１に対してスライド移動可能に取り付けられている。
【００２４】
可動部材６が取り付けられた際、摺動子７の摺動部７ｃは、抵抗パターン３と集電パターン４に摺動可能となり、また、本体部６ｃに設けられた対向面６ｅは、固定部材１の対向面１ｇに対向した状態となると共に、凸部６ｊは、固定部材１の対向面１ｇに当接、或いは近接した状態となっている。
【００２５】
その結果、固定部材１の対向面１ｇと可動部材６の対向面６ｅとの間には、僅かな（所定の）隙間が形成された状態となっている。
また、可動部材６が取り付けられた際、覆い部６ｋによって切り欠き部１ｆの外方部が覆われ、固定部材１内への埃等の侵入を防止している。
【００２６】
このような構成を有する電気部品の動作を説明すると、先ず、操作部６ａを摘んでスライド移動させると、可動部材６は固定部材１と絶縁基板２とに挟持された状態で移動する。
そして、この可動部材６の移動によって、摺動子７が抵抗パターン３と集電パターン４との摺動して、抵抗値の調整を行うようになる。
【００２７】
また、可動部材６の移動時、対向面６ｅは、固定部材１の対向面１ｇに互いに面同士が対向した状態で移動するが、第１，第２のグリス溜部６ｇ、７ｈに充填されたグリスが対向面１ｇ，６ｅ間の隙間に介在して、可動部材６に大きな作動力を持たせるようになっている。
【００２８】
そして、可動部材６の移動時、可動部材６の移動方向と直交する方向に設けられた第２のグリス溜部６ｈ内のグリスは、可動部材６の移動に伴って対向面１ｇが位置してグリスが付着し、対向面６ｅとの間にグリスが充填されるので、可動部材６の移動方向に設けられた第１のグリス溜部６ｇ内のグリスよりも多く流出するようになるが、第２のグリス溜部６ｈ内のグリスが少なくなると、第１のグリス溜部６ｇ内のグリスが第２のグリス溜部６ｈ内に移行（供給）されるようになり、従って、長期にわたって、所定の作動力を維持できるようになる。
なお、対向面１ｇと対向面６ｅとの間の隙間は十分に小さく、主に、該対向面１ｇと対向面６ｅ、及びこの間に介在するグリスによって所定の作動力が提供される。
【００２９】
また、固定部材１と可動部材６の対向面１ｇ，６ｅ間の隙間にグリスが介在した状態となっているため、可動部材６の移動時、可動部材６は円滑な動作ができる。
なお、上記実施例においては、凸部６ｊと対向面１ｇの隙間が分割対向面６ｆと対向面１ｇとの隙間より若干小さくしているが、両者を同じ、或いは逆の関係となるようにしても良く、その場合は、その間のグリスの介在が多くなって、より大きな作動力が得られる。
【００３０】
また、図１２は本発明の電気部品の他の実施例を示し、この他の実施例は、可動部材６に設けられた対向面６ｅの分割対向面６ｆが千鳥状に配置されたもので、その他も構成は、前記実施例と同様であり、同一部品に同一番号を付し、ここではその説明を省略する。
【００３１】
なお、上記実施例においては、可動部材の対向面に第１，第２のグリス溜部を設けたもので説明したが、この第１，第２のグリス溜部は固定部材側の一方に、、或いは、固定部材側と可動部材の双方に設けても良い。
また、第１，第２のグリス溜部は、それぞれ複数個設けたもので説明したが、第１，第２のグリス溜部は、それぞれ１個、或いは何れか一方が１個でも良い。
【００３２】
また、分割対向面は、四角状のもので説明したが、丸型、楕円形、三角形、５角以上の多角形等の形状にしても良い。
また、この実施例では一直線上を往復動可能なスライド型可変抵抗器で説明したが、スライドスイッチ等のスライド型の電気部品や、回転型可変抵抗器、回転型スイッチ等の回転型電気部品に適用しても良く、要は、可動部材６に設けられた対向面６ｅが固定部材１の対向面１ｇに対して直線、或いは円等の所定の線上を移動するものであれば良い。
【００３３】
【発明の効果】
本発明の電気部品は、非可動状態の固定部材と、この固定部材に対して対向した状態で移動可能な可動部材とを備え、固定部材と可動部材の互いに対向する対向面は、所定の隙間を持って配置され、固定部材と可動部材の少なくとも一方の対向面には、可動部材の移動方向に延びる凹状の第１のグリス溜部と、可動部材の移動方向に対して直交する方向に延び、第１のグリス溜部と繋がった凹状の第２のグリス溜部とが設けられた構成とした。
このように、第１，第２のグリス溜部にグリスを設けることができて、長期にわたって所定の作動力を維持できる電気部品を提供できる。
また、固定部材と可動部材の互いに対向する対向面間にグリスが介在するため、作動力を大きくできると共に、円滑な動作を行うことができる。
【００３４】
また、第１のグリス溜部、或いは／及び第２のグリス溜部が複数個設けられ、対向面は、第１，第２のグリス溜部によって区画されて、島状に分割された分割対向面に形成されたため、一層、長期にわたって所定の作動力を維持できると共に、作動力をより大きくできる。
【００３５】
また、第１，第２のグリス溜部が一直線状の凹状で形成されたため、第１のグリス溜部からの第２のグリス溜部へのグリスの供給がスムーズに行われて、長期にわたって所定の作動力を維持できる。
【００３６】
また、可動部材はスライド移動可能となっており、可動部材の対向面には、第１，第２のグリス溜部が設けられて、固定部材の対向面に対向したため、第１，第２のグリス溜部の形成が容易であると共に、グリスの充填作業も容易で、生産性の良好なものが得られる。
【００３７】
また、可動部材に設けられた対向面の全外周部には、対向面の全体を囲むように第１，第２のグリス溜部が設けられたため、対向面の全体にグリスを至らすことができて、長期にわたって所定の作動力を安定して維持できると共に、作動力をより大きくできる。
【００３８】
また、スライド移動可能な可動部材は、その一面側に摺動子が取り付けられると共に、他面側には、第１，第２のグリス溜部を有する対向面が設けられたため、対向面を広く形成できると共に、小型で、グリス保持機能の良好なものが得られる。
【図面の簡単な説明】
【図１】本発明の電気部品を示す分解斜視図。
【図２】本発明の電気部品の平面図。
【図３】本発明の電気部品の裏面図。
【図４】本発明の電気部品の底面図。
【図５】図２の５−５線における断面図。
【図６】図２の６−６線における断面図。
【図７】本発明の電気部品に係る固定部材の正面図。
【図８】本発明の電気部品に係る固定部材の側面図。
【図９】本発明の電気部品に係る固定部材の底面図。
【図１０】本発明の電気部品に係る可動部材の平面図。
【図１１】本発明の電気部品に係る可動部材の側面図。
【図１２】本発明の電気部品の他の実施例に係る可動部材の平面図。
【図１３】
従来の電気部品の組立斜視図。
【符号の説明】
１　固定部材
１ａ　上壁
１ｂ　側壁
１ｃ　脚部
１ｄ　折り曲げ片
１ｅ　突片
１ｆ　切り欠き部
１ｇ　対向面
２　絶縁基板
２ａ　孔
３　抵抗パターン
４　集電パターン
５　端子
６　可動部材
６ａ　操作部
６ｂ　首部
６ｃ　本体部
６ｄ　突起
６ｅ　対向面
６ｆ　分割対向面
６ｇ　第１のグリス溜部
６ｈ　第２のグリス溜部
６ｊ　凸部
６ｋ　覆い部
７　摺動子
７ａ　孔
７ｂ　板部
７ｃ　摺動部
【図１】
2004119562.tif 000003
【図２】
2004119562.tif 000004
【図３】
2004119562.tif 000005
【図４】
2004119562.tif 000006
【図５】
2004119562.tif 000007
【図６】
2004119562.tif 000008
【図７】
2004119562.tif 000009
【図８】
2004119562.tif 000010
【図９】
2004119562.tif 000011
【図１０】
2004119562.tif 000012
【図１１】
2004119562.tif 000013
【図１２】
2004119562.tif 000014
【図１３】
2004119562.tif 000015